(57)【要約】【課題】ケーブルの長さ調整に影響を与えるような作業工程を不要としながらも、簡単にケーブルの長さ調整をできるようにする。【解決手段】コントロールケーブル長さ調整装置１は、挿通孔６１に挿通された移動操作ピン４４の端部４４ａが連結ピン装着部３７の内周面３７ａから突出した状態でスライダロック位置に位置され、連結ピン装着部３７への連結ピン２０の装着過程で該連結ピン２０の外周面２１ｃと当接して移動操作ピン４４の端部４４ａが挿通孔６１内に位置した状態でロック解除位置に位置されるロック片４０を備え、ロック片４０は、スライダロック位置に位置している場合、位置決め機構によってスライダ収容部３１内でのスライダ１０の移動をロックして位置決めを行い、ロック解除位置に位置している場合、位置決め機構によるロックを解除する。【選択図】図１
2013057331.tif 000002
【特許請求の範囲】
【請求項１】
円柱形状に形成され周方向に延びる環状溝が外周面に形成されている連結ピンと、アウターケーブル内に収容されたインナーケーブルの端部に取り付けられた棒状のスライダと、前記連結ピンが内側に着脱自在に挿入される円筒形状の連結ピン装着部と前記スライダを移動自在に収容するスライダ収容部とが一体として形成されるホルダと、前記スライダ収容部に対して前記スライダを位置決めする位置決め機構と、を備えるコントロールケーブル長さ調整装置において、
前記スライダ収容部と前記連結ピン装着部とは、前記スライダ収容部内の前記スライダの移動方向と前記連結ピン装着部の軸方向とが直交するように前記スライダ収容部において前記スライダの移動方向に位置する底壁と前記連結ピン装着部の周壁とが一体に形成され、
前記底壁及び前記周壁には、前記底壁及び前記周壁を貫通する前記連結ピン用の挿通孔が形成されており、
前記スライダ収容部内に前記スライダの移動方向に移動自在に収容されつつ弾性部材によって前記底壁側に付勢され、前記底壁との対向部位には前記挿通孔に挿通される突起部が形成されて、前記連結ピン装着部への前記連結ピンの装着前では前記挿通孔に挿通された前記突起部の端部が前記連結ピン装着部の内周面から突出した状態で、又は前記連結ピン装着部への前記連結ピンの装着完了時では前記挿通孔に挿通された前記突起部の端部が前記連結ピン装着部の内周面から突出し前記連結ピンの環状溝内に位置した状態で第１位置に位置され、前記連結ピン装着部への前記連結ピンの装着過程では前記連結ピンの外周面と当接して前記突起部の端部が前記挿通孔内に位置した状態で第２位置に位置される移動部材を備え、
前記移動部材は、前記第１位置に位置している場合、前記位置決め機構によって前記スライダ収容部内での前記スライダの移動をロックして前記位置決めを行い、前記第２位置に位置している場合、前記位置決め機構による前記ロックを解除することを特徴とするコントロールケーブル長さ調整装置。
【請求項２】
前記ロック機構は、前記スライダの側面に複数の溝が前記スライダの移動方向に並べられて形成されているラック部と、弾性変形可能な線材を折り曲げて形成され、前記スライダ収容部に固定される基部、前記基部の端部から延びる腕部、及び前記腕部の端部から前記ラック部の溝に沿うように延び該溝に係止可能な係止部を備えるスプリングと、を備え、
前記移動部材は、前記第１位置に位置している場合、前記溝に前記係止部を係止状態にすることで前記ロックを行い、前記第２位置に位置している場合、前記溝に係止状態の前記係止部を該溝から離脱させることで前記ロックの解除を行うことを特徴とする請求項１に記載のコントロールケーブル長さ調整装置。
【請求項３】
前記移動部材は、前記ラック部との対向部位に、前記溝に係止状態の前記係止部が該溝から離脱するのを防止する離脱防止部を備え、
前記離脱防止部は、前記移動部材が前記第１位置に位置している場合、前記係止部に対向して前記係止部が前記溝から離脱するのを防止し、前記移動部材が前記第２位置に位置している場合、前記係止部との対向位置から外れて前記係止部が前記溝から離脱するのを許容することを特徴とする請求項２に記載のコントロールケーブル長さ調整装置。
【請求項４】
前記ロック機構は、前記係止部の端部から前記移動部材側に延びる突部を備え、
前記移動部材は、前記第１位置から前記第２位置に移動する過程で、前記突部を押して変位させて前記溝に係止状態の前記係止部を該溝から離脱させる係止解除部を備えることを特徴とする請求項２又は３に記載のコントロールケーブル長さ調整装置。
【発明の詳細な説明】
【技術分野】
【０００１】
本発明は、車両に用いられるコントロールケーブルの長さを調整する技術に関する。
【背景技術】
【０００２】
アウターケーブルに挿通したインナーケーブルをストロークさせる構造のコントロールケーブルでは、アウターケーブルを固定し配索した後、インナーケーブルの長さがその配索状況に応じて微妙に変化する。
そのため、従来より、コントロールケーブルの両端のインナーケーブルの入出力ストローク関係を精密に保障するものとして、インナーケーブルの長さ調整を可能にするコントロールケーブル長さ調整装置が提案されている。
【０００３】
特許文献１には、インナーケーブルの長さを調整する技術が開示されている。この特許文献１に開示の技術では、ケーブル取り付けピンに締結本体を挿入し、その後、ケーブル長さ調整用のロックピースを締結本体に挿着する。
【先行技術文献】
【特許文献】
【０００４】
【特許文献１】特開２００５−１７２２０３号公報
【発明の概要】
【発明が解決しようとする課題】
【０００５】
しかしながら、特許文献１の技術では、インナーケーブルの長さ調整のために、ケーブル取り付けピンに締結本体を挿入し（第１工程）、その後、ケーブル長さ調整用のロックピースを締結本体に挿着する（第２工程）、とった少なくとも２工程が必要となる。
さらに、特に、前記第２工程のロックピースの挿着は、作業者の熟練度に左右されるために、作業者の熟練度によってケーブルの長さ調整にずれが生じる恐れがある。これは、例えば、ロックピース挿着時に、作業者が意図せずインナーケーブルのストローク方向に力を加えてしまいやすく、そのためにインナーケーブルの長さを正しく調整できない虞があるからである。
本発明は、ロックピース挿着工程のようなケーブルの長さ調整に影響を与える作業工程を不要としながら、簡単にインナーケーブルの長さ調整をできるようにすることを目的とする。
【課題を解決するための手段】
【０００６】
前記課題を解決するために、本発明の一態様では、円柱形状に形成され周方向に延びる環状溝が外周面に形成されている連結ピンと、アウターケーブル内に収容されたインナーケーブルの端部に取り付けられた棒状のスライダと、前記連結ピンが内側に着脱自在に挿入される円筒形状の連結ピン装着部と前記スライダを移動自在に収容するスライダ収容部とが一体として形成されるホルダと、前記スライダ収容部に対して前記スライダを位置決めする位置決め機構と、を備えるコントロールケーブル長さ調整装置において、前記スライダ収容部と前記連結ピン装着部とは、前記スライダ収容部内の前記スライダの移動方向と前記連結ピン装着部の軸方向とが直交するように前記スライダ収容部において前記スライダの移動方向に位置する底壁と前記連結ピン装着部の周壁とが一体に形成され、前記底壁及び前記周壁には、前記底壁及び前記周壁を貫通する前記連結ピン用の挿通孔が形成されており、前記スライダ収容部内に前記スライダの移動方向に移動自在に収容されつつ弾性部材によって前記底壁側に付勢され、前記底壁との対向部位には前記挿通孔に挿通される突起部が形成されて、前記連結ピン装着部への前記連結ピンの装着前では前記挿通孔に挿通された前記突起部の端部が前記連結ピン装着部の内周面から突出した状態で、又は前記連結ピン装着部への前記連結ピンの装着完了時では前記挿通孔に挿通された前記突起部の端部が前記連結ピン装着部の内周面から突出し前記連結ピンの環状溝内に位置した状態で第１位置に位置され、前記連結ピン装着部への前記連結ピンの装着過程では前記連結ピンの外周面と当接して前記突起部の端部が前記挿通孔内に位置した状態で第２位置に位置される移動部材を備え、前記移動部材は、前記第１位置に位置している場合、前記位置決め機構によって前記スライダ収容部内での前記スライダの移動をロックして前記位置決めを行い、前記第２位置に位置している場合、前記位置決め機構による前記ロックを解除することを特徴とするコントロールケーブル長さ調整装置を提供できる。
【０００７】
また、本発明の一態様では、前記ロック機構は、前記スライダの側面に複数の溝が前記スライダの移動方向に並べられて形成されているラック部と、弾性変形可能な線材を折り曲げて形成され、前記スライダ収容部に固定される基部、前記基部の端部から延びる腕部、及び前記腕部の端部から前記ラック部の溝に沿うように延び該溝に係止可能な係止部を備えるスプリングと、を備え、前記移動部材は、前記第１位置に位置している場合、前記溝に前記係止部を係止状態にすることで前記ロックを行い、前記第２位置に位置している場合、前記溝に係止状態の前記係止部を該溝から離脱させることで前記ロックの解除を行う。
【０００８】
また、本発明の一態様では、前記移動部材は、前記ラック部との対向部位に、前記溝に係止状態の前記係止部が該溝から離脱するのを防止する離脱防止部を備え、前記離脱防止部は、前記移動部材が前記第１位置に位置している場合、前記係止部に対向して前記係止部が前記溝から離脱するのを防止し、前記移動部材が前記第２位置に位置している場合、前記係止部との対向位置から外れて前記係止部が前記溝から離脱するのを許容する。
【０００９】
また、本発明の一態様では、前記ロック機構は、前記係止部の端部から前記移動部材側に延びる突部を備え、前記移動部材は、前記第１位置から前記第２位置に移動する過程で、前記突部を押して変位させて前記溝に係止状態の前記係止部を該溝から離脱させる係止解除部を備える。
【発明の効果】
【００１０】
本発明によれば、連結ピン装着部への連結ピンの装着を完了させる過程で、移動部材を第２位置から第１位置に移動させて、スライダ収容部内でのスライダの移動のロックの解除を行い、その後、スライダ収容部内でのスライダの移動をロックする。
これにより、本発明では、連結ピン装着部への連結ピンの装着を完了させる過程で、インナーケーブルの長さを調整し、その後、その調整したインナーケーブルの長さを固定できる。
【００１１】
このように、本発明では、ロックピース挿着工程のようなインナーケーブルの長さ調整に影響を与える作業工程を不要としながら、簡単にインナーケーブルの長さを調整することができる。
また、連結ピンをコントロールケーブル長さ調整装置が組み付けられる側の被組付け部材とした場合、本発明により、作業者は、連結ピン装着部への連結ピンの装着作業工程だけで、被組付け部材となる連結ピンへのコントロールケーブル長さ調整装置の組付けと、コントロールケーブルの長さ調整とを同時に行うことできる。
【００１２】
また、本発明によれば、弾性変形可能な線材といった簡単な構成によってロック機構を実現できる。
また、本発明によれば、移動部材が第１位置に位置している場合にスプリングの係止部がラック部の溝から離脱してしまうのを防止できる。
また、本発明によれば、ロック機構の突部と移動部材の係止解除部とによって、移動部材が第１位置から第２位置に移動する過程で、ラック部の溝からスプリングの係止部を確実に離脱させることができる。
【図面の簡単な説明】
【００１３】
【図１】本実施形態のコントロールケーブル長さ調整装置の構成例を示す側断面図である。
【図２】コントロールケーブル長さ調整装置の一部構成の分解斜視図である。
【図３】ロック片の形状を示す下側面図である。
【図４】ホルダの連結ピン装着部に連結ピンが装着される前の状態（スライダロック位置の状態）のコントロールケーブル長さ調整装置を示す側断面図である。
【図５】図４におけるスライダのラック歯部付近の詳細を示す側断面図である。
【図６】ホルダの連結ピン装着部に連結ピンの端部だけが挿通された状態（スライダロック位置の状態）のコントロールケーブル長さ調整装置を示す側断面図である。
【図７】図６におけるスライダのラック歯部付近の詳細を示す側断面図である。
【図８】ホルダの連結ピン装着部に連結ピンが挿通され、連結ピンの本体部の外周面によって移動操作ピンが挿通孔に押し込まれている状態（ロック解除位置の状態）のコントロールケーブル長さ調整装置を示す側断面図である。
【図９】図８におけるスライダのラック歯部付近の詳細を示す側断面図である。
【図１０】ホルダの連結ピン装着部に連結ピンが装着され（連結ピン装着部に連結ピンが完全に挿入され）、連結ピンの本体部の環状溝内に移動操作ピンの端部が係止状態（スライダロック位置の状態）にあるコントロールケーブル長さ調整装置を示す側断面図である。
【図１１】図１０におけるスライダのラック歯部付近の詳細を示す側断面図である。
【発明を実施するための形態】
【００１４】
本発明の実施形態を図面を参照しつつ説明する。
本実施形態は、コントロールケーブル長さ調整装置である。
（構成）
図１及び図２は、コントロールケーブル長さ調整装置１の構成例を示す図である。図１は側断面図であり、図２は、コントロールケーブル長さ調整装置１の一部構成の分解斜視図である。
【００１５】
図１及び図２に示すように、コントロールケーブル長さ調整装置１は、インナーケーブル１０１の端部１０１ａに取り付けられているスライダ（ラック）１０と、自動変速装置のセレクタなどのレバー（連結対象体）に取り付けられる連結ピン（ケーブル取り付けピン）２０と、スライダ１０を移動自在に収容しかつ連結ピン２０が着脱自在とされているホルダ３０と、ホルダ３０に収容されたスライダ１０の移動をロック（位置決め）し、さらにそのロックの解除を行うためのロック片（スライドロック）４０及びロック用スプリング５０を有している。ここで、インナーケーブル１０１は、収容されているアウターケーブル１０２とでコントロールケーブル１００を構成する。
【００１６】
図１及び図２に示すように、スライダ１０は、ロック片４０及びロック用スプリング５０とともにホルダ３０のスライダ収容部３１に収容されている。このスライダ１０（スライダ１０本体）は、略四角柱形状の部材からなり、その長手方向（図１に矢印Ａの方向）端部にインナーケーブル１０１の端部１０１ａが取り付けられている。このスライダ１０には、長手方向に平行な側面又は移動方向に平行な側面（長手方向平行面、第１側面という。）１０ａにラック歯部１１が形成されている。詳しくは、ラック歯部１１の形成位置は、その第１側面１０ａにおいてインナーケーブル１０１の取付端部とは反対側の端部寄りの位置である。このラック歯部１１は、複数の歯１１ａ（又は溝１１ｂ）を有しており、各歯１１ａが、第１側面１０ａにおいて、短辺方向に延在しかつ長辺方向に並ぶように形成されている。このスライダ１０の外周を囲むようにしてロック用スプリング５０が配置されている。
【００１７】
ロック用スプリング５０は、弾性変形可能な線材が折り曲げられて、基部５１、腕部５２、係止部５３、及び突部５４が形成されている。
係止部５３は、ラック歯部１１の歯１１ａの長さと同等の長さを有する。この係止部５３の一端には、第１側面１０ａに対して略垂直方向に向く突部５４が形成されている。また、係止部５３の他端には、腕部５２が形成されている。
【００１８】
一方、基部５１は、スライダ１０において、第１側面１０ａとは反対側の長手方向平行面（以下、第３側面という。）１０ｃ側に、より詳しくは、インナーケーブル１０１の取り付け端部側の第３側面１０ｃの部位に沿うように位置されている。この基部５１は、短辺方向に延在する延在部５１ａと、スライダ１０の長手方向に延びて延在部５１ａに対して略垂直となる垂直部５１ｂとで、略Ｌ字形状をなしている。この基部５１は、スライダ収容部３１の基部係止部３５に収容され係止されている。そして、この基部５１の延在部５１ａの一端は、腕部５２と繋がっている。
【００１９】
腕部５２は、スライダ１０において第１側面１０ａに隣接する長手方向平行面（以下、第２側面という。）１０ｂに沿いつつ、係止部５３と基部５１の延在部５１ａとを連結するために第１側面１０ａ近傍と第３側面１０ｃ近傍との間に延在されている。
ロック用スプリング５０は、延在部５１ａに対して垂直部５１ｂが変位されつつ基部５１がスライダ収容部３１の基部係止部３５に係止されており、その垂直部５１ｂの変位によって捻りが生じた状態になっている。ロック用スプリング５０は、その捻りによって、ラック歯部１１から離脱する方向に係止部５３を付勢している。
【００２０】
なお、それとは反対に、ロック用スプリング５０は、その捻りによって、係止部５３をラック歯部１１の方向（ラック歯部１１への装着方向）に付勢していても良い。また、いずれの場合も、スライダ収容部３１に装着する前のロック用スプリング５０の形状（本実施形態では特に基部５１の形状）によって、その付勢方向が決定される。
ロック片４０は、ホルダ３０のスライダ収容部３１内に、スライダ１０の移動方向と同方向で移動自在となるように収容されている。ロック片４０は、スライダ１０の長手方向の端面１０ｄ側に対向する部位（以下、端面側平板部という。）４１と、スライダ１０の第１側面１０ａ側に対向する部位（以下、平行面側平板部という。）４２とを有し、略Ｌ字形状の板部材から構成されている。
【００２１】
ここで、図３は、ロック片４０の形状の詳細を示す下側面図である。
この図３にも示すように、端面側平板部４１は、その上端部が平行面側平板部４２の下面に連結され、図３の右側方から見た場合、略正方形の平板形状をなしている。ロック片４０は、ホルダ３０のスライダ収容部３１内において、この端面側平板部４１がスライダ収容部３１の底壁３２に対して接離するように移動する。この端面側平板部４１の高さ（図１における上下方向の高さ）は、スライダ１０の長手方向の端面１０ｄの高さよりも高く、詳しくは、平行面側平板部４２に設けている四角柱形状の規制部４３のみがスライダ１０の第１側面１０ａと接するような高さになっている。そして、端面側平板部４１には、スライダ１０の長手方向端面１０ｄとの対向面とは反対側の側面４１ａ、より詳しくはその側面４１ａの略中央部位に移動操作ピン４４が立設されている。
【００２２】
移動操作ピン４４は、ホルダ３０のスライダ収容部３１の底壁３２側に形成されている挿通孔６１に移動自在に挿通されている。この移動操作ピン４４の挿通孔６１内での移動に応じ、ロック片４０は、スライダロック位置とロック解除位置との間を移動する。
具体的には、移動操作ピン４４の端部４４ａが連結ピン装着部３７の内周面３７ａから突出している状態で、ロック片４０は、スライダロック位置に位置される。また、移動操作ピン４４の端部４４ａが連結ピン装着部３７の内周面３７ａから突出することなく挿通孔６１に収容されている状態で、ロック片４０は、ロック解除位置に位置される。ここで、スライダロック位置とは、図１に示すロック片４０の位置である。このロック位置では、スライダ１０は、ホルダ３０のスライダ収容部３１に対し移動がロックされ位置決めされる。また、ロック解除位置とは、ホルダ３０のスライダ収容部３１に対するスライダ１０の移動のロックを解除する位置である。
【００２３】
一方、平行面側平板部４２には、この平行面側平板部４２の短辺方向の端部寄りに、ロック用スプリング５０の突部５４が挿通される切り欠き窓４５が形成されている。切り欠き窓４５は、平行面側平板部４２の長辺方向、すなわち、スライダ１０の移動方向に延びて略長方形状をなしている。この切り欠き窓４５の端面側平板部４１側に位置する内側面は、ロック片４０がスライダロック位置からロック解除位置に移動する際にロック用スプリング５０の突部５４に係止し、係止部５３をラック歯部１１から離脱させるように押圧する押圧部４５ａを構成する。
【００２４】
また、平行面側平板部４２には、スライダ１０の第１側面１０ａとの対向面４２ａに前述した略四角柱形状の規制部４３が形成されている。ここで、規制部４３は、切り欠き窓４５（その長手方向の略中央部位）に隣接して形成されている。また、この規制部４３におけるラック歯部１１との対向面４３ａは、該ラック歯部１１に接する程度近傍に位置されている。また、ロック片４０が図１に示すスライドロック位置にあるときには、この規制部４３は、ロック用スプリング５０の係止部５３を収容する溝部１１ｂに隣り合うラック歯部１１の２つの歯を跨ぐように配置されている。また、端面側平板部４１に向いた規制部４３の側面４３ｂと切り欠き窓４５の端面側平板部４１側に位置する内側面（押圧部）４５ａとのスライダ１０の長手方向における段差は、ロック用スプリング５０の係止部５３又は突部５４の直径と同等又は多少大きめの段差となっている。
【００２５】
また、平行面側平板部４２の端部４２ｂは、スライダ１０の第１側面１０ａとの対向面とは反対側の面に突部４６が形成されて、ホルダ３０内に配置されているロック片付勢用スプリング４７との係止部を構成している。
ホルダ３０は、スライダ１０、ロック片４０、及びロック用スプリング５０を一体として収容するスライダ収容部３１と、連結ピン２０が装着される連結ピン装着部３７とを有している。
【００２６】
スライダ収容部３１は、略正方形の平板形状の底壁３２と、該底壁３２の両端から立設されて互いに対向する略長方形の平板形状の第１及び第２周壁３３，３４とを有し、これら底壁３２並びに第１及び第２周壁３３，３４で囲まれた空部によって、スライダ１０、ロック用スプリング５０、及びロック片４０の収容部を構成している。
第１周壁３３は、底壁３２側の部位が内側面をロック片４０の平行面側平板部４２が摺動する摺動部３３ａを構成している。この摺動部３３ａのスライダ１０の長手方向における長さは、ロック片４０の平行面側平板部４２よりも多少短くなっている。この摺動部３３ａには、ロック片４０の平行面側平板部４２の切り欠き窓４５と連通状態の切り欠き窓３３ａ１が形成されている。
【００２７】
また、第１周壁３３には、摺動部３３ａの端部から摺動部３３ａと反対側へ延び、ロック片付勢用スプリング４７を収容するスプリング収容部３３ｂが形成されている。摺動部３３ａの端部からスプリング収容部３３ｂ側へロック片４０の平行面側平板部４２の端部（係止部）４２ｂが突出しており、この端部４２ｂがスプリング収容部３３ｂ内に圧縮された状態で配置されるロック片付勢用スプリング４７と接触している。このロック片付勢用スプリング４７は、ロック片４０を底壁３２側に付勢している。
【００２８】
第２周壁３４は、内側面３４ａに対してスライダ１０が摺動する。この第２周壁３４の内側面３４ａには、ロック用スプリング５０の基部５１が収容され係止される基部係止部３５が形成されている。この基部係止部３５にロック用スプリング５０の基部５１が係止されることで、スライダ収容部３１内では、ロック用スプリング５０が移動することなく、スライダ１０だけが移動する。
【００２９】
底壁３２は、ロック片４０の端面側平板部４１との対向部位を構成しており、連結ピン装着部３７の外周面に一体となっている。この底壁３２及び連結ピン装着部３７の周壁には、その底壁３２及び連結ピン装着部３７の周壁を貫通する移動操作ピン４４用の挿通孔６１が形成されている。
連結ピン装着部３７は、連結ピン２０が挿通されるように略円筒形状をなしている。この連結ピン装着部３７の軸方向は、スライダ収容部３１内でのロック片４０の移動方向、すなわち、ロック片４０の移動操作ピン４４の移動方向に対して直交する。
【００３０】
ここで、連結ピン２０は、例えば自動変速機側のレバー側に取り付けられる部材である。この連結ピン２０は、略円柱形状の本体部２１と、本体部２１の一端に形成された鍔部２２とを有している。本体部２１は、その直径がスライダ収容部３１の連結ピン装着部３７の内周径と略同等となるように形成されている。この本体部２１には、他端の外周を面取りした面取り部２１ａと、軸方向の略中間部位に周方向に延びる環状溝２１ｂとが形成されている。ここで、連結ピン装着部３７の端面３７ｂに鍔部２２が当接して該連結ピン装着部３７内に本体部２１が挿通された状態、すなわち、連結ピン装着部３７に連結ピン２０が完全に装着された状態とした場合、環状溝２１ｂは、移動操作ピン４４用の挿通孔６１に対向して位置されるようになる。
【００３１】
（動作等）
次に、コントロールケーブル（インナーケーブル）の長さ調整をする際のコントロールケーブル長さ調整装置１における動作、作用等を、図４乃至図１０を参照しつつ説明する。
【００３２】
ここで、図４は、ホルダ３０の連結ピン装着部３７に連結ピン２０が装着される前の状態（スライダロック位置の状態）のコントロールケーブル長さ調整装置１を示す側断面図であり、図５は、図４におけるスライダ１０のラック歯部１１付近（点線で囲った領域）の詳細を示す側面断図である。また、図６は、ホルダ３０の連結ピン装着部３７に連結ピン２０の端部が挿通された状態（スライダロック位置の状態）のコントロールケーブル長さ調整装置１を示す側面断図であり、図７は、図６におけるスライダ１０のラック歯部１１付近（点線で囲った領域）の詳細を示す側面断図である。また、図８は、ホルダ３０の連結ピン装着部３７に連結ピン２０が挿通され、連結ピン２０の本体部２１の外周面２１ｃによってロック片４０の移動操作ピン４４が挿通孔６１に押し込まれている状態（ロック解除位置の状態）のコントロールケーブル長さ調整装置１を示す側断面図であり、図９は、図８におけるスライダ１０のラック歯部１１付近（点線で囲った領域）の詳細を示す側断面図である。また、図１０は、ホルダ３０の連結ピン装着部３７に連結ピン２０が完全に装着され、連結ピン２０の本体部２１の環状溝２１ｂ内にロック片４０の移動操作ピン４４の端部４４ａが位置している状態（スライダロック位置の状態）のコントロールケーブル長さ調整装置１を示す側断面図であり、図１１は、図１０におけるスライダ１０のラック歯部１１付近（点線で囲った領域）の詳細を示す側断面図である。
【００３３】
先ず、図４及び図５に示すように、連結ピン装着部３７に連結ピン２０が装着される前の状態では、ロック片４０の移動操作ピン４４が連結ピン装着部３７の内周面３７ａからの突出を許容されている。そのため、ロック片４０は、スライダ収容部３１内で、ロック片付勢用スプリング４７によって、端面側平板部４１が該スライダ収容部３１の底壁３２と当接する位置（スライダロック位置）で保持される。これによって、ロック片４０の規制部４３がロック用スプリング５０の係止部５３に対向するように位置され、その係止部５３のラック歯部１１への係止状態が維持されるため、スライダ１０は、スライダ収容部３１内での移動がロックされる。
【００３４】
その後、図６及び図７に示すように、連結ピン装着部３７に連結ピン２０が挿通されると、連結ピン装着部３７の内周面３７ａから突出した移動操作ピン４４の端部４４ａが、連結ピン２０によって挿通孔６１側に押される。このとき、連結ピン２０の端部に面取り部２１ａがあることで、移動操作ピン４４は挿通孔６１に円滑に押される。これにより、ロック片４０は、スライダ収容部３１内で、ロック片付勢用スプリング４７の付勢力に抗して、端面側平板部４１が該スライダ収容部３１の底壁３２から離間する方向に移動する。さらに、ロック片４０の規制部４３は、ロック用スプリング５０の係止部５３との対向位置から外れる。
【００３５】
さらに、その後、図８及び図９に示すように、連結ピン装着部３７に連結ピン２０が挿通されて、連結ピン２０の本体部２１の外周面２１ｃに当接して移動操作ピン４４の端部４４ａが挿通孔６１内に完全に押し込まれると、ロック片４０はロック解除位置に位置するようになる。そして、ロック片４０がロック解除位置に至る過程で、ロック片４０の切り欠き窓４５の内側面である押圧部４５ａは、ロック用スプリング５０の突部５４を押圧して変位させてラック歯部１１からロック用スプリング５０の係止部５３を離脱させる。このようにしてロック用スプリング５０の係止部５３がラック歯部１１から離脱することで、スライダ１０は、スライダ収容部３１内での移動のロック（位置決め）が解除される。
【００３６】
これによって、インナーケーブル１０１の端部１０１ａをホルダ３０内で移動させる操作を行うと、そのインナーケーブル１０１の端部１０１ａに取り付けられているスライダ１０は、スライダ収容部３１内をその操作に応じて移動するようになる。すなわち、インナーケーブル１０１の長さ調整がなされるようになる。
【００３７】
そして、図１０及び図１１に示すように、連結ピン装着部３７に連結ピン２０が装着されると、すなわち、連結ピン２０へのコントロールケーブル長さ調整装置１の組み付けを完了すると、連結ピン２０の本体部２１の環状溝２１ｂが、挿通孔６１の対向部位に位置される。これにより、ロック片付勢用スプリング４７による付勢によって、挿通孔６１内に押し込まれていた移動操作ピン４４の端部４４ａは、挿通孔６１内から飛び出してきて連結ピン２０の本体部２１の環状溝２１ｂ内に位置され、ロック片４０は、元の位置（スライダロック位置）に戻る。このようにしてロック片４０が元の位置（スライダロック位置）に戻る移動過程で、ロック用スプリング５０の係止部５３は、ロック片４０の押圧部４５ａによる押圧が解除され、ラック歯部１１の歯１１ａの間に戻りラック歯部１１に再び係止される。さらに、ロック片４０の規制部４３は、ロック用スプリング５０の係止部５３との対向位置に戻る。これにより、スライダ１０は、スライダ収容部３１内での移動が再びロックされて位置決めされた状態になる。
【００３８】
また、移動操作ピン４４の端部４４ａが連結ピン２０の環状溝２１ｂと係止した状態になるために、コントロールケーブル長さ調整装置１は、移動操作ピン４４から外れないようになる。
例えば、前述のように、ロック片４０の押圧部４５ａによる押圧が解除されたときにロック用スプリング５０の係止部５３がラック歯部１１の歯１１ａの間に戻るのは、ラック歯部１１側に係止部５３を付勢するようにロック用スプリング５０が形成されているような場合である。
【００３９】
また、ラック歯部１１から離脱する方向に係止部５３を付勢するようにロック用スプリング５０が形成されているような場合には、ロック片４０の押圧部４５ａによる押圧が解除された際に、ロック用スプリング５０の係止部５３がラック歯部１１の歯１１ａの間に円滑に戻ることができる構造を設けることが好ましい。例えば、そのような構造として、ロック片４０の規制部４３における端面側平板部４１側に向く側面４３ｂを、図１０又は図１１において、上端に対して下端が左側に位置するように傾斜させる。
【００４０】
以上のように、コントロールケーブル長さ調整装置１では、ホルダ３０の連結ピン装着部３７に連結ピン２０を装着する作業工程に連動させて、ホルダ３０のスライダ収容部３１に対するスライダ１０の移動のロックの解除及び再度のロックを行うことが可能になる。これによって、作業者は、ホルダ３０の連結ピン装着部３７に連結ピン２０を装着する作業工程において、インナーケーブル１０１の長さを調整し、その後、調整した長さを固定させることができる。
また、本実施形態では、移動操作ピン４４は、例えば、突起部を構成する。また、ロック片４０は、例えば、移動部材を構成する。また、規制部４３は、例えば、離脱防止部を構成する。また、切り欠き窓４５の押圧部４５ａは、例えば、係止解除部を構成する。
【００４１】
（本実施形態の効果）
本実施形態は、次のような効果を奏する。
（１）コントロールケーブル長さ調整装置１は、連結ピン装着部３７への連結ピン２０の装着を完了させる過程で、移動部材をスライドロック位置とロック解除位置との間で往復運動させて、スライダ収容部３１内でのスライダ１０の移動のロックの解除を行い、その後、スライダ収容部３１内でのスライダ１０の移動をロックする。
【００４２】
これにより、コントロールケーブル長さ調整装置１は、連結ピン装着部３７への連結ピン２０の装着を完了させる過程で、インナーケーブルの長さを調整し、その後、その調整したインナーケーブルの長さを自動的に固定できる。
このように、コントロールケーブル長さ調整装置１では、ロックピース挿着工程のようなケーブルの長さ調整に影響を与えるような作業工程を不要としながら、簡単にインナーケーブルの長さを調整することができる。
【００４３】
また、連結ピン２０は、コントロールケーブル長さ調整装置１が組み付けられる側の被組付け部材であるため、作業者は、連結ピン装着部３７への連結ピン２０の装着作業工程だけで、被組付け部材である連結ピン２０へのコントロールケーブル長さ調整装置１の組み付けと、インナーケーブル１０１の長さを調整とを同時に行うことできる。
このため、作業者は、一方の手でケーブルの長さを最適な位置に保持しながら、もう一方の手でケーブルの位置を固定するためのロックピースをホルダに挿入するといった従来の作業が不要となり、容易にケーブルの長さ調整作業をできるとともに、ケーブルの組み付け作業と長さ調整作業とに要する時間を短縮できる。
【００４４】
（２）コントロールケーブル長さ調整装置１は、ロック用スプリング５０を用いてロック機構を構成することで、弾性変形可能な線材といった簡単な構成によってロック機構を実現できる。
（３）コントロールケーブル長さ調整装置１は、ロック片４０に規制部４３を設けることで、ロック片４０がスライダロック位置にある場合にロック用スプリング５０の係止部５３がラック歯部１１から離脱してしまうのを防止できる。
【００４５】
（４）コントロールケーブル長さ調整装置１は、ロック用スプリング５０の突部５４とロック片４０の押圧部４５ａとによって、ロック片４０がスライダロック位置からロック解除位置に移動する過程で、ラック歯部１１からロック用スプリング５０の係止部５３を確実に離脱させることができる。
【００４６】
（本実施形態の変形例）
本実施形態は、ロック機構がロック用スプリング５０によって構成されることに限定されないことは言うまでもない。すなわち、ロック機構は、ロック片１０がスライドロック位置に位置している場合、スライダ収容部３１内でのスライダ１０の移動をロックして位置決めを行い、ロック片１０がロック解除位置に位置している場合、ロックを解除することを可能とするものであれば良い。
【００４７】
また、本実施形態は、ロック用スプリング５０が前述の形状に限定されず、他の形状とされても良い。すなわち、ラック歯部１１に対して近づく方向又は離れる方向にロック用スプリング５０の係止部５３を付勢できる形状であれば、ロック用スプリング５０の形状は他の形状でも良い。
また、本実施形態は、ロック片４０が規制部４３を有することに限定されない。例えば、このような構成は、ラック歯部１１側に係止部５３が付勢されるようにロック用スプリング５０が形成されている場合に、ロック片４０を簡単な構成を実現できる等として有用である。
【００４８】
また、本実施形態は、ロック用スプリング５０が突部５４を有することに限定されず、また、ロック片４０が押圧部４５ａを有することに限定されない。例えば、このような構成は、ラック歯部１１から離脱する方向に係止部５３が付勢されるようにロック用スプリング５０が形成されている場合に、ロック用スプリング５０やロック片４０を簡単な構成を実現できる等として有用である。
【００４９】
また、本実施形態は、連結ピン装着部３７に装着された連結ピン２０を手作業によって取り外せる構造を設けても良い。例えば、作業者が手作業により、ラック歯部１１から係止部５３を離脱させ、ロック片４０をロック解除位置に移動できるように、ロック用スプリング５０やロック片４０には操作部を設ける。
以上、本発明の実施形態を具体的に説明したが、本発明の範囲は、図示され記載された例示的な実施形態に限定されるものではなく、本発明が目的とするものと均等な効果をもたらすすべての実施形態をも含む。さらに、本発明の範囲は、請求項１により画される発明の特徴の組み合わせに限定されるものではなく、すべての開示されたそれぞれの特徴のうち特定の特徴のあらゆる所望する組み合わせによって画されうる。
【符号の説明】
【００５０】
１  コントロールケーブル長さ調整装置、１０  スライダ、２０  連結ピン、３０  ホルダ、３１  スライダ収容部、３７  連結ピン装着部、４０  ロック片、４４  移動操作ピン、５０  ロック用スプリング、６１  挿通孔、１００  コントロールケーブル、１０１  インナーケーブル、１０２  アウターケーブル
【図１】
2013057331.tif 000003
【図２】
2013057331.tif 000004
【図３】
2013057331.tif 000005
【図４】
2013057331.tif 000006
【図５】
2013057331.tif 000007
【図６】
2013057331.tif 000008
【図７】
2013057331.tif 000009
【図８】
2013057331.tif 000010
【図９】
2013057331.tif 000011
【図１０】
2013057331.tif 000012
【図１１】
2013057331.tif 000013